(57)【要約】【課題】従来にない脱出用ハンマーを収容することができるアシストグリップを提供する。【解決手段】自動車の室内に取り付けられ、棒状に延びる把持部４と、把持部４の少なくとも一端に連続する湾曲部５と、湾曲部５に連続し、自動車の内装部材６に取り付ける取付部３とを備えたアシストグリップ１である。把持部４内には、湾曲部５側に形成された開口部１２に連続する収納部１１が形成され、収納部１１には、脱出用ハンマー２１が収納されているから、脱出用ハンマー２１をアシストグリップ１内にコンパクトに収容することができる。また、脱出用ハンマー２１を開口部１２側へ付勢する付勢手段たるコイルスプリング３３と、脱出用ハンマー２１の動きを規制する規制部４１と、規制部４１の規制を解除する押しボタン４６とを備えるから、アシストグリップ１からハンマー２１を容易に着脱することができる。【選択図】図２
2017159354.tif 000002
【特許請求の範囲】
【請求項１】
乗り物の室内に取り付けられ、
棒状に延びる把持部と、
前記把持部の少なくとも一端に連続する屈曲部と、
前記屈曲部に連続し、前記乗り物の内装部材に取り付ける取付部とを備えたアシストグリップであって、
前記把持部内には、前記屈曲部側に形成された開口部に連続する収納部が形成され、
前記収納部には、脱出用ハンマーが収納されていることを特徴とするアシストグリップ。
【請求項２】
前記脱出用ハンマーの動きを規制する規制部と、前記規制部の規制を解除する操作部とを備えることを特徴とする請求項１記載のアシストグリップ。
【請求項３】
前記脱出用ハンマーは少なくとも一端側に斜面部を備えており、前記斜面部が前記屈曲部の一部をなすことを特徴とする請求項１記載のアシストグリップ。
【請求項４】
前記把持部の両側に屈曲部が形成され、これら両側の屈曲部にはそれぞれ前記開口部が形成され、
前記脱出用ハンマーの両端には斜面部が形成されており、
前記脱出用ハンマーが前記開口部のいずれからも取出し可能なことを特徴とする請求項１記載のアシストグリップ。
【請求項５】
前記開口部側に前記操作部が設けられていることを特徴とする請求項２記載のアシストグリップ。
【請求項６】
前記把持部に前記操作部が設けられていることを特徴とする請求項２記載のアシストグリップ。
【請求項７】
前記脱出用ハンマーに前記操作部が設けられていることを特徴とする請求項２記載のアシストグリップ。
【請求項８】
前記脱出用ハンマーの前記斜面部の内側に切断手段が設けられていることを特徴とする請求項３記載のアシストグリップ。
【発明の詳細な説明】
【技術分野】
【０００１】
本発明は、窓ガラスを破壊するためのハンマーを備えたアシストグリップに関する。
【背景技術】
【０００２】
従来、この種のものとして、帯状で中央部分が凹状に湾曲した把持部と、前記把持部の両端に各々垂設され、配設先の車両の窓ガラスが破壊可能なハンマー部材と、配設先の車両のルーフサイド内側に埋め込み固定され、前記ハンマー部材を挿通する挿通穴を有し、前記挿通穴から前記ハンマー部材が前記把持部とともに離脱可能な受部材と、前記挿通穴から前記ハンマー部材の離脱を禁止する状態、及び離脱可能な状態に切換える切換手段とを具備することを特徴とするハンマー付アシストグリップ（例えば特許文献１）がある。【０００３】
また、アシストグリップ（グラブレール）ではないが、発煙筒を利用した緊急脱出用工具（例えば特許文献２）がある。この緊急脱出工具は、発炎筒端部への冠着部を備え、自動車等の強化ガラスを割るためのハンマー部が発炎筒の長手方向に向くように設けられている。【０００４】
しかし、前記緊急脱出工具では、複数のハンマーを装備する場合、複数のハンマーに対応して専用の収納箇所も複数必要となるため、乗り物などの内部スペースに制約のあるものには不向きな面があり、また、専用収納箇所以外の例えばダッシュボードの内部に収納すると、緊急時に直ぐに取り出すことができない場合があり、使い勝手が悪い。【０００５】
これに対して、上記ハンマー付アシストグリップでは、通常時はアシストグリップとして使用するため、前記緊急脱出工具のように専用の収納場所が必要になるという問題はない。
【先行技術文献】
【特許文献】
【０００６】
【特許文献１】特願２００２−１０４０４８号公報
【特許文献２】特願２００７−１８１９０２号公報
【発明の概要】
【発明が解決しようとする課題】
【０００７】
しかし、上記ハンマー付アシストグリップは、把持部とハンバー部材とを一体に設けたものであるため、全体として大型化し、また、着脱するために車両側に特別な加工が必要になり、さらに、後付けが難しいという問題がある。【０００８】
また、アシストグリップ全体を取り外すため、その取外し作業が煩雑になる面もある。【０００９】
そこで、本発明は上記した問題点に鑑み、従来にない脱出用ハンマーを収容することができるアシストグリップを提供することを目的とする。
【課題を解決するための手段】
【００１０】
上記目的を達成するために、請求項１に係る発明は、乗り物の室内に取り付けられ、棒状に延びる把持部と、前記把持部の少なくとも一端に連続する屈曲部と、前記屈曲部に連続し、前記乗り物の内装部材に取り付ける取付部とを備えたアシストグリップであって、前記把持部内には、前記屈曲部側に形成された開口部に連続する収納部が形成され、前記収納部には、脱出用ハンマーが収納されていることを特徴とする。【００１１】
請求項２の発明は、前記脱出用ハンマーの動きを規制する規制部と、前記規制部の規制を解除する操作部とを備えることを特徴とする。【００１２】
請求項３に係る発明は、前記脱出用ハンマーは少なくとも一端側に斜面部を備えており、前記斜面部が前記屈曲部の一部をなすことを特徴とする。【００１３】
請求項４に係る発明は、前記把持部の両側に屈曲部が形成され、これら両側の屈曲部にはそれぞれ前記開口部が形成され、前記脱出用ハンマーの両端には斜面部が形成されており、前記脱出用ハンマーが前記開口部のいずれからも取出し可能なことを特徴とする。【００１４】
請求項５に係る発明は、前記開口部側に前記操作部が設けられていることを特徴とする。【００１５】
請求項６に係る発明は、前記把持部に前記操作部が設けられていることを特徴とする。【００１６】
請求項７に係る発明は、前記脱出用ハンマーに前記操作部が設けられていることを特徴とする。【００１７】
請求項８に係る発明は、前記脱出用ハンマーの前記斜面部の内側に切断手段が設けられていることを特徴とする。
【発明の効果】
【００１８】
請求項１の構成によれば、脱出用ハンマーをアシストグリップ内にコンパクトに収容できる。【００１９】
請求項２の構成によれば、ハンマーの着脱が容易である。【００２０】
請求項３の構成によれば、ハンマーの一部がアシストグリップの一部をなすことで、ハンマーに大きさを持たせることができる。【００２１】
請求項４の構成によれば、脱出用ハンマーを両側の開口部のいずれからも取出すことができる。【００２２】
請求項５の構成によれば、操作部によりアシストグリップを握った状態からのハンマーの取出しが容易である。【００２３】
請求項６の構成によれば、把持部の操作部を操作して脱出用ハンマーを取出すことができる。【００２４】
請求項７の構成によれば、脱出用ハンマーの操作部を操作して脱出用ハンマーを取出すことができる。【００２５】
請求項８の構成によれば、切断手段を安全に保持することができる。
【図面の簡単な説明】
【００２６】
【図１】本発明の実施例１を断面図である。
【図２】同上、脱出用ハンマーを取り外した状態の断面図であり、図２Ａはアシストグリップの本体の断面図、図２Ｂは脱出用ハンマーの正面図である。
【図３】同上、要部の拡大断面図である。
【図４】同上、斜視図である。
【図５】同上、脱出用ハンマーを取り外した状態の斜視図であり、図５Ａはアシストグリップの斜視図、図５Ｂは脱出用ハンマーの斜視図である。
【図６】同上、取付方法を説明する斜視図であり、図６Ａは型紙により内装部材に印を付ける作業を説明する斜視図、図６Ｂは印を付けた箇所を穿設する作業を説明する斜視図、図６Ｃは内装部材にアシストグリップを取り付ける作業を説明する斜視図である。
【図７】同上、交換方法を説明する斜視図であり、図７Ａは既設のアシストグリップを取り外す作業を説明する斜視図、図７Ｂは新しいアシストグリップを取り付ける作業を説明する斜視図である。
【図８】本発明の実施例２を示す断面図である。
【図９】同上、側面図である。
【図１０】本発明の実施例３を示す断面図である。
【図１１】同上、規制部の説明図である。
【図１２】同上、脱出用ハンマーの取り外しを説明する断面図であり、図１２Ａはアシストグリップの本体の断面図、図１２Ｂは脱出用ハンマーの正面図である。
【図１３】本発明の実施例４を示す正面図である。
【図１４】同上、斜視図であり、図１４Ａはアシストグリップの斜視図、図１４Ｂはハンマーを両側から取り外すことができることを示すアシストグリップの斜視図である。
【図１５】同上、先端部材を取り外した状態の脱出用ハンマーの斜視図である。
【図１６】本発明の実施例５を示す断面図である。
【図１７】本発明の実施例６を示す正面図である。
【図１８】本発明の実施例７を示す斜視図である。
【図１９】同上、脱出用ハンマーの断面図である。
【図２０】同上、脱出用ハンマーの分割体の斜視図である。
【図２１】本発明の参考例１を示す背面図である。
【図２２】同上、使用状態の正面図である。
【図２３】本発明の参考例２を示す正面図であり、図２３Ａは先端部を取り外した状態のアシストグリップの正面図、図２３Ｂは一方の先端部の正面図、図２３Ｃは他方の先端部の正面図である。
【発明を実施するための形態】
【００２７】
以下、図面を参照して、本発明のアシストグリップの実施例について説明する。
【実施例１】
【００２８】
図１〜図６は本発明の実施例１を示す。同図に示すように、アシストグリップ１は、本体２と取付部３とを一体に備える。前記本体２は、合成樹脂からなり、棒状に延びる把持部４と、この把持部４の長さ方向両端に一体に設けられた屈曲部たる湾曲部５，５とを備える。また、前記湾曲部５，５に前記取付部３，３がそれぞれ設けられ、前記取付部３は乗り物の内装部材６に取り付けられるものである。尚、取付部３は、湾曲部５の背面側に設けられている。【００２９】
また、前記把持部４内には収納部１１が形成され、この収納部１１は把持部４の長さ方向に形成されると共に、一方の前記湾曲部５に開口する開口部１２を有する。【００３０】
前記内装部材６としては、乗り物の内部空間の内壁部が例示され、例えばアシストグリップ１は座席の側部上方に設けられる。【００３１】
前記本体２は、把持部４の外縁４Ｓが略真っ直ぐに形成され、両側の湾曲部５，５の外縁に凸状の曲面部５Ｍ，５Ｍが形成され、これら曲面部５Ｍ，５Ｍは前記把持部４の外縁４Ｓに連続して形成されている。【００３２】
また、把持部４の内縁４Ｕは略真っ直ぐに形成され、湾曲部５の内縁５Ｕは前記内縁４Ｕと略直交して形成されている。尚、図１において、把持部４の上側が外縁４Ｓであり、把持部４の下側が内縁４Ｕであり、以下、図１のアシストグリップ１の向きを基準として、アシストグリップ１などの上下を説明する。【００３３】
前記本体２内には、略円柱状の前記収納部１１が形成され、この収納部１１の長さ方向一側に前記開口部１２が設けられていると共に、収納部１１の長さ方向他側（底部側）は閉塞している。また、前記開口部１２は一方の前記湾曲部５の曲面部５Ｍ側に設けられ、前記把持部４の長さ方向外側には、幅狭で細長形状の細長開口部１３が前記開口部１２に連通して形成され、その細長開口部１３は外縁４Ｓ側（上側）に形成されている。さらに、収納部１１は開口部１２側の内側面１４が一段低く形成され、この内側面１４は収納部１１の下側に位置し、開口部１２に連通している。尚、収納部１１は把持部４の略全長に設けられている。【００３４】
前記収納部１１には、ポンチタイプハンマーである脱出用ハンマー（以下、ハンマーと称す）２１が着脱可能に収納される。前記ハンマー２１は、合成樹脂製で略円筒状のハンマー把持部２２の先端に、硬質材料からなるポンチ２３が固定して設けられている。また、ハンマー把持部２２の長さ方向一側である基端側には、傾斜面たる曲面部２４が設けられ、この曲面部２４は、ハンマー２１の収納状態で、前記曲面部５Ｍに略面一になって連続し、該曲面部５Ｍの一部を構成するものである。また、前記曲面部２４の先端側には前記細長開口部１３に嵌合する嵌合部２５が設けられている。そして、収納状態で、前記開口部１２が曲面部２４により塞がれ、細長開口部１３が嵌合部２５により塞がれる。尚、前記嵌合部２５はハンマー把持部２２の先端側より幅狭に形成れている。【００３５】
前記ポンチ２３の基端側は略円筒状のカバー部材２６により覆われ、前記ポンチ２３の先端はカバー部材２６の先端から突出している。この場合、カバー部材２６を図示しない付勢手段によりハンマー把持部２２の先端面２２Ａに進退可能に設けてもよい。【００３６】
また、ハンマー把持部２２の基端側には、斜めの案内溝３１が切欠き状に形成され、この案内溝３１の下側底部に切断手段たる刃体３２を設け、刃部３２Ａは上方の湾曲部５により隠れる。前記案内溝３１は、ハンマー把持部２２の先端側から基端側に向かって上から下になるように斜めに形成され、案内溝３１の溝開口部３１Ａは、ハンマー把持部２２の先端側に位置する。そして、前記嵌合部２５の先端２５Ｓは、前記ハンマー把持部２２の外周から周方向に離れた上方の位置にある。尚、前記刃体３２の先端の刃部３２Ａはハンマー２１の中心軸方向に沿って配置されている。【００３７】
前記収納部１１の底部には、付勢手段たるコイルスプリング３３が設けられ、このコイルスプリング３３には、前記ハンマー把持部２２の先端面２２Ａを押す押出手段たる押出ピン３４が設けられている。この押出ピン３４は筒状をなし、ハンマー２１の収納状態で、コイルスプリング３３が圧縮され、前記カバー部材２６が押出ピン３４内に挿入されると共に、押出ピン３４の先端が前記ハンマー把持部２２の先端面２２Ａに圧接する。【００３８】
また、アシストグリップ１は、前記ハンマー２１の動きを規制する規制部４１を備え、この規制部４１は、前記コイルスプリング３３により付勢された前記ハンマー２１の収納部１１からの抜け出しを規制する。【００３９】
具体的には、前記規制部４１は、収納部１１の基端側に、該収納部１１と交差方向（上下方向）の縦溝部４２を形成し、この縦溝部４２内に係止部たるロックピン４３を移動可能に設けると共に、このロックピン４３を飛び出す方向に付勢する付勢手段を縦溝部４２の底部側に設け、この例では付勢手段としてコイルスプリング４４を前記縦溝部４２の底部側に配置している。【００４０】
また、前記ロックピン４３には、前記縦溝部４２に係合してロックピン４３の突出位置を位置決めする位置決め突起４５が設けられている。尚、縦溝部４２の内周には、前記位置決め突起４５の上部が係止する突起係止部４２Ａが設けられている。【００４１】
また、前記規制部４１は、ロックピン４３の動作を操作する操作部たる押しボタン４６を備え、前記縦溝部４２に交差する段付きの横溝部３９を、前記湾曲部５に形成し、前記押しボタン４６は前記横溝部３９に進退可能に設けられると共に、この横溝部３９の段部３９Ａに当接する抜け止め部たる鍔部４６Ａを有する。【００４２】
前記押しボタン４６は前記ロックピン４３に係合し、押しボタン４６を押すことにより、コイルスプリング４４の付勢に抗してロックピン４３の先端が縦溝部４２内に引っ込むように構成されており、押しボタン４６から指を離すと、コイルスプリング４４によりロックピン４３の先端が収納部１１内に突出する。【００４３】
この場合、例えば押しボタン４６の先端に傾斜面４９を設け、この傾斜面４９に摺動する傾斜面４９Ａを、前記ロックピン４３に設けることにより、押しボタン４６を押す操作によりロックピン４３を引っ込めることができる。【００４４】
そして、前記ロックピン４３の先端には係止突起部４７が設けられ、この係止突起部４７の先端面４７Ａは収納部１１の底部側から開口部１２側に向かって低くなるように斜めに形成されている。また、前記係止突起部４７が係止する係止凹部４８を、前記ハンマー把持部２２に設ける。前記係止凹部４８は、上側の前記曲面部２４に対して反対側である下側に設けられると共に、前記先端面４７Ａに対応する湾曲部４８Ａが係止凹部４８の隣りに突設され、係合部たる前記湾曲部４８Ａは、係止凹部４８の収納部１１の底部側に位置する。尚、前記湾曲部４８Ａの代わりに、直線状の傾斜部を設けても良い。【００４５】
従って、開口部１２からハンマー２１を収納部１１に挿入すると、細長開口部１３に嵌合部２５が嵌り、収納部１１に対するハンマー２１の周方向の向きが合され、ここからさらに挿入すると、ハンマー把持部２２の先端面２２Ａがカバー部材２６を押してコイルスプリング４４が圧縮され、コイルスプリング４４が所定量だけ圧縮されると、先端面４７Ａに湾曲部４８Ａが係合し、ロックピン４３が押されて引っ込んだ後、コイルスプリング４４の弾性復元力によりロックピン４３の係止突起部４７がハンマー２１の係止凹部４８に係止し、ハンマー２１が位置固定される。この状態で、湾曲部５が曲面部２４に連続する。【００４６】
他方の湾曲部５の内縁５Ｕには、フック５０が把持部４の長さ方向の軸を中心に回動自在に設けられ、付勢手段（図示せず）により、フック５０は湾曲部５の内縁５Ｕに沿う収納位置側に付勢され、付勢手段の付勢に抗してフック５０を回転することにより、車内においてフック５０が略水平となる使用位置で位置決めされるように構成されている。そして、使用位置で、フック５０にハンガー（図示せず）などを掛けることができる。【００４７】
図６はアシストグリップ１の取付け方法の一例を示している。アシストグリップ１を追加で取り付ける場合、即ち後付けの場合、内装部材６に型紙５１を当て、この型紙５１には、開口部等からなる印５２，５２が設けられており、筆記手段たるサインペン５３によりそれら印５２，５２に沿って内装部材６に印５４，５４を付ける。その型紙を外した後、それら印５４，５４の箇所を穿設して取付孔５５を形成する。【００４８】
そして、取付孔５５，５５に前記取付部３，３を固定して内装部材６の内面にアシストグリップ１を取り付ける。尚、図６及び図７は乗り物である自動車の車内を示し、自動車側部の窓ガラス７の上方にアシストグリップ１が取り付けられる。【００４９】
図７は既設のアシストグリップ１０１を本発明のアシストグリップ１に交換する例を示している。同図に示すように、既設のアシストグリップ１０１の前記湾曲部５の一側面には、取付片５６が回動自在に設けられ、その取付片５６にはクリップ５７を挿入する挿通孔５８が穿設され、その取付片５６にクリップ５７を挿入すると共に、クリップ５７を取付孔５５に挿入した状態で、クリップ５７にストッパ５９を圧入し、これにより前記クリップ５７が拡径してアシストグリップ１０１が内装部材６に固定されるように構成されている。【００５０】
また、取付片５６は図示しない付勢手段により、湾曲部５の背面に沿う方向に付勢されている。尚、取付片５６，クリップ５７，挿通孔５８及びストッパ５９を、前記アシストグリップ１の取付部３に設けることができる。【００５１】
そして、既設のアシストグリップ１０１からストッパ５９を抜き取り、ペンチなどの手動利器６０によりクリップ５７を抜き取ることにより、アシストグリップ１０１を取り外すことができ、取り外した取付孔５５，５５に前記取付部３，３を固定して内装部材６の内面に新しいアシストグリップ１を取り付け、交換することができる。【００５２】
次に、前記アシストグリップ１の使用方法について説明する。乗り物の窓ガラス７を割って脱出する際、各乗員の斜め上にあるアシストグリップ１の押しボタン４６を押すと、ハンマー２１の基端側が部分的に飛び出し、該基端側を持ってハンマー２１を抜き取ることができる。この場合、刃体３２は湾曲部５側により隠れているから、湾曲部５側を把持することができる。また、係止凹部４８から外れたロックピン４３が、ハンマー把持部２２の外面に当るから、抵抗となってハンマー２１の不用意な飛び出しを防止できる。【００５３】
このように普段はアシストグリップ１として使用するものに脱出用ハンマー２１を組み込んだため、通常時は邪魔にならず、使用時には直ぐに脱出用ハンマー２１を取り出して使用することができる。また、自動車の場合、他の収納場所を車内に確保する必要がなく、略乗員の数に相当する数だけアシストグリップ１を装備することができ、利便性に優れたものとなる。【００５４】
また、シートベルトを切断する必要がある場合は、ハンマー把持部２２の先端側を持ってシートベルトの幅方向一側を案内溝３１に引っ掛けるようにして底部の刃体３２により切断することができる。【００５５】
このように本実施例では、請求項１に対応して、乗り物たる自動車の室内に取り付けられ、棒状に延びる把持部４と、把持部４の少なくとも一端に連続する屈曲部たる湾曲部５と、湾曲部５に連続し、自動車の内装部材６に取り付ける取付部３とを備えたアシストグリップ１であって、把持部４内には、湾曲部５側に形成された開口部１２に連続する収納部１１が形成され、収納部１１には、脱出用ハンマー２１が収納されているから、脱出用ハンマー２１をアシストグリップ１内にコンパクトに収容することができる。【００５６】
このように本実施例では、請求項２に対応して、脱出用ハンマー２１の動きを規制する規制部４１と、規制部４１の規制を解除する操作部たる押しボタン４６とを備えるから、アシストグリップ１からハンマー２１を容易に着脱することができる。【００５７】
このように本実施例では、請求項３に対応して、脱出用ハンマー２１は少なくとも一端側に斜面部たる曲面部２４を備えており、曲面部２４が屈曲部たる湾曲部５の一部をなすから、ハンマー２１の一部がアシストグリップ１の一部をなすことで、ハンマー２１に大きさを持たせることができる。【００５８】
このように本実施例では、請求項５に対応して、アシストグリップ１の開口部１２側に操作部たる押しボタン４６が設けられているから、押しボタン４６によりアシストグリップ１を握った状態からのハンマー２１の取出しが容易である。【００５９】
このように本実施例では、請求項８に対応して、脱出用ハンマー２１の斜面部たる曲面部２４の内側に切断手段たる刃体３２が設けられているから、刃体３２を安全に保持することができる。【００６０】
また、実施例上の効果として、規制部４１は、収納部１１に先端が突出するロックピン４３と、ハンマー２１に設けられ前記ロックピン４３が係止する係止凹部４８とを備え、ハンマー２１の挿脱によりロックピン４３を出没させる出没手段が、コイルスプリング４４，先端面４７Ａ及び先端面４７Ａを押圧する押圧部たる湾曲部４８Ａを備えるから、収納部１１内にハンマー２１を挿入するだけで、規制部４１によりハンマー２１が位置固定される。また、脱出用ハンマー２１を開口部１２側へ付勢する付勢手段たるコイルスプリング３３を備えるから、アシストグリップ１からハンマー２１を容易に着脱することができる。【００６１】
また、変形例として、アシストグリップ１に、操作部たる押しボタン４６を設けずに、ハンマー２１の基端側である曲面部２４側を引っ張ってハンマー２１を収納部１１から取り出せるようにしてもよく、この場合、規制部４１は、曲面部２４側を引っ張ると、ロックピン４３と係止凹部４８との係止が解除できる程度の規制を行う構成にすればよい。さらには、後述する実施例３のように規制部４１を設けず、本実施例で示した付勢手段たるコイルスプリング３３も設けずに、収納部１１にハンマー２１を圧入状態などで挿入することにより、ハンマー２１が収納状態で固定保持され、使用時には曲面部２４側を引っ張って取り出すことできるように構成してもよく、この場合、開口部１２を大きく形成すると共に開口部１２に対応してハンマー２１の曲面部２４側を大きく形成し、或いは収納状態でハンマー２１の基端側を開口部１２から一部突出するように形成し、曲面部２４側を引っ張り易くすることが好ましい。
【実施例２】
【００６２】
図８及び図９は、本発明の実施例２を示し、上記実施例１と同一部分に同一符号を付し、その詳細な説明を省略して詳述する。この例の脱出用ハンマー２１は、図示しない操作部を押すなどの操作をすると、ポンチ２３が突出するものである。また、付勢手段たるコイルスプリング３３には、押圧体６１を設け、この押圧体６１がハンマー把持部２２の先端面２２Ａを押すように構成している。【００６３】
また、前記規制部と前記操作部の両者を構成する規制操作部６２を備える。この規制操作部６２は、前記開口部１２側に固設したリング体６３と、このリング体６３に着脱自在に設けられ前記開口部１２を閉塞するキャップ状の閉塞部材６４とからなる。この閉塞部材６４は前記リング体６３に外装するリング部６４Ａと、このリング部６４Ａの基端側を閉塞する閉塞部６４Ｂとを備える。【００６４】
前記閉塞部材６４は着脱構造６５により前記リング体６３に着脱自在に設けられ、着脱構造６５としては、螺子機構やバヨネット結合などの回転式のものや、閉塞部材６４を把持部４の長さ方向に押すことにより該閉塞部材６４がリング体６３に結合されると共に、この結合状態の閉塞部材６４を押すことにより前記結合が解除されて閉塞部材６４を取り外すことができる押圧式のものでもよい。【００６５】
また、前記ハンマー２１のハンマー把持部２２の外面に、反射材や蓄光材を設ければ、目印の役目を付与することができる。【００６６】
従って、規制操作部６２を操作して閉塞部材６４を取り外し、開口部１２が開くと、コイルスプリング３３の付勢によりハンマー２１の一部が収納部１１からリング体６３を通って飛び出し、そのハンマー２１を用いて窓ガラス７を破壊して脱出することができる。【００６７】
また、この例では、規制部と操作部を兼用する規制操作部６２により、ハンマー２１の取り出しを簡便に行うことができる
【実施例３】
【００６８】
図１０〜図１２は、本発明の実施例３を示し、上記各実施例と同一部分に同一符号を付し、その詳細な説明を省略して詳述する。この例では、規制部を、前記開口部１２とは反対側に位置する収納部１１の底部側に設け、操作部を開口部１２側に設けている。【００６９】
この例の規制部はプッシュラッチ９１であり、このプッシュラッチ９１は、前記収納部１１の底部に固定したロック本体９２と、このロック本体９２に係脱可能で前記ハンマー把持部２２の先端側に設けた被ロック部９３とを備え、前記収納部１１にハンマー２１を挿入し、先端の被ロック部９３がロック本体９２を押すと、被ロック部９３にロック本体９２が係止し、これによりハンマー２１が規制されて固定され、一方、固定状態から操作部であるハンマー２１の基端側を所定量押すと、ロック本体９２による係止が解除され、前記コイルスプリング３３の付勢によりハンマー２１の基端側が開口部１２から外部に出るように構成している。【００７０】
一例として、前記ロック本体９２は、前記収納部１１の底部に取付けられ前記開口部１２側が開口するケーシング９４と、このケーシング９４に収納部１１の長さ方向に進退自在に設けられたスライド部材９５と、このスライド部材９５の先端に開閉自在に設けられた対をなす保持部たる保持アーム９６，９６と、これら保持アーム９６，９６の間で前記スライド部材９５に設けられ前記被ロック部９３に押される押圧部９７とを備え、上述した動作をする機構と付勢手段等（図示せず）を前記ケーシング９４等に内蔵する。【００７１】
また、前記被ロック部９３は、フック部材９８を備え、ロック状態で、前記フック部材９８のフック部９９，９９に、前記保持アーム９６，９６が閉まって係止する。この係止状態がプッシュラッチ９１の固定状態であり、この状態から操作部である曲面部２４を押すと、フック部材９８がスライド部材９５を押し、スライド部材９５が後退した後、付勢手段によりスライド部材９５が前進し、保持アーム９６，９６が開いて固定が解除される。【００７２】
また、この例では、規制部がプッシュラッチ９１であり、操作部が収納状態で露出する曲面部２４であり、このように規制部を開口部１２の反対側に設けることができると共に、プッシュラッチ９１を用いたから、曲面部２４を押すことによりハンマー２１の固定と、ハンマー２１の取り出しとを簡便に行うことができる。【００７３】
また、変形例として、本実施例３のアシストグリップ１に、実施例１又は２の規制部と操作部とを設けてもよく、例えば、本実施例３において、実施例１の規制部４１と操作部たる押しボタン４６等を設けた場合、ハンマー２１を取り出す際、押しボタン４６と曲面部２４を押す作業が必要になるが、ハンマー２１を二重に規制することができる。【００７４】
このように複数の規制部と操作部を設けることにより、ハンマー２１を二重に規制することができる。
【実施例４】
【００７５】
図１３〜図１５は、本発明の実施例４を示し、上記各実施例と同一部分に同一符号を付し、その詳細な説明を省略して詳述する。この例では、前記本体２には、両側の前記湾曲部５，５に前記開口部１２，１２を設けており、前記脱出用ハンマー２１は、両側の開口部１２，１２からそれぞれ取出し可能に設けられている。【００７６】
前記把持部４は、管状の把持中央部１１０と両側の把持筒部１１０Ａ，１１０Ａを有し、前記把持部１１０Ａは前記湾曲部５に一体に設けられている。前記把持中央部１１０の両側に前記湾曲部５，５を連結し、前記把持中央部１１０の端部は前記把持筒部１１０Ａに挿入固定されている。また、湾曲部５，把持中央部１１０及び湾曲部５の内部に連続して前記収納部１１が設けられると共に、この収納部１１の両側には、両側の前記湾曲部５，５に開口する前記開口部１２，１２が設けられている。尚、この例では、前記細長開口部１３は設けられていない。また、前記収納部１１は全長に渡って前記把持中央部１１０の内周と略同一形状の円柱状に形成されている。そして、前記把持部４は、前記把持中央部１１０と、該把持中央部１１０より径大な前記把持筒部１１０Ａ，１１０Ａとにより構成されている。【００７７】
前記ハンマー２１には、前記ハンマー把持部２２の先端にキャップとなる先端部材１１１が着脱可能に設けられている。この先端部材１１１は、前記カバー部材２６に着脱可能に外嵌固定される筒部１１２と、この筒部１１２の先端側を塞ぐ前記曲面部２４とを一体に備える。そして、前記筒部１１２を前記カバー部材２６に外嵌することにより、ハンマー把持部２２に先端部材１１１が固定されると共に、該先端部材１１１により前記ポンチ２３が覆われる。【００７８】
また、前記曲面部２４に滑り止め部たる凹凸部１１３を設け、この凹凸部１１３は、前記ハンマー２１の長さ方向と交差する方向の突条１１３Ａと凹溝１１３Ｂを、該長さ方向に複数並設してなる。そして、前記凹凸部１１３を設けた曲面部２４により、操作部２４Ｓを構成している。【００７９】
前記ハンマー把持部２２の基端側には、前記先端部材１１１と同一構成の基端部材１１４が固着されている。そして、前記収納部１１にハンマー２１を収納した状態で、両側の前記曲面部２４，２４が両側の開口部１２，１２を塞ぎ、それら曲面部２４，２４は、前記把持部４の把持筒部１１０Ａの外縁４Ｓに略連続するように形成されている。【００８０】
前記収納部１１の内周には、ハンマー２１の動きを規制する規制部たる弾性圧接部１１５，１１５が設けられ、これら弾性圧接部１１５，１１５は、ハンマー２１を挟んで対向する位置に設けられ、前記ハンマー把持部２２の外周に前記弾性圧接部１１５，１１５が圧接することにより、ハンマー２１が規制されて収納部１１に固定される。また、どちらか一方の曲面部２４を押すことにより、他方の開口部１２からハンマー２１を押し出して抜き取ることができ、さらに、突条１１３Ａに指を掛けて手前にハンマー２１を引き出すこともできる。このように収納部１１にハンマー２１を出し入れすることができる。【００８１】
このようにしてアシストグリップ１からハンマー２１を取り外し、このハンマー２１から先端部材１１１を外し、ポンチ２３により窓ガラス７を破壊することができる。そして、使用後は、ハンマー把持部２２の先端に先端部材１１１を取付けた後、収納部１１に挿入してアシストグリップ１にハンマー２１を再び収納状態で固定することができる。【００８２】
また、このように本実施例では、請求項３に対応して、脱出用ハンマー２１は少なくとも一端側に、この例では両端に斜面部たる曲面部２４，２４を備えており、曲面部２４が屈曲部たる湾曲部５の一部をなすから、ハンマー２１の一部がアシストグリップ１の一部をなすことで、ハンマー２１に大きさを持たせることができる。【００８３】
また、このように本実施例では、請求項４に対応して、把持部４の両側に屈曲部たる湾曲部５，５が形成され、これら両側の湾曲部５，５にはそれぞれ開口部１２，１２が形成され、脱出用ハンマー２１の両端には斜面部たる曲面部２４，２４が形成されており、脱出用ハンマー２１が開口部１２，１２のいずれからも取出し可能であるから、脱出用ハンマー２１を両側の開口部１２，１２のいずれからも取出すことができ、利便性に優れる。【００８４】
また、このように本実施例では、請求項７に対応して、脱出用ハンマー２１に操作部２４Ｓが設けられているから、脱出用ハンマー２１の操作部２４Ｓを操作して脱出用ハンマー２１を取出すことができる。【００８５】
また、実施例上の効果として、操作部２４Ｓは、収納状態で開口部１２に位置する曲面部２４に凹凸部１１３を設けたものであるから、構造簡易にして、操作部２４Ｓを押したり、引いたりして簡便にハンマー２１を取出すことができる。
【実施例５】
【００８６】
図１６は、本発明の実施例５を示し、上記各実施例と同一部分に同一符号を付し、その詳細な説明を省略して詳述する。この例では、規制部の変形例を示し、例えば実施例１のアシストグリップ１において、前記規制部４１を設けずに、規制部と操作部を兼用する規制操作部１２１を設けている。【００８７】
前記規制操作部１２１は、前記ハンマー把持部２２の一側の内縁４Ｕ側に透孔１２２を穿設し、この透孔１２２に連通する取付孔１２３を、前記ハンマー把持部２２に設け、前記透孔１２２を挿通して前記取付孔１２３に着脱可能に固定可能な規制ピン１２４を備える。【００８８】
前記規制ピン１２４は、そのピン本体１２４Ａを前記取付孔１２３に圧入などすることにより固定され、前記規制ピン１２４の径大な頭部１２４Ｂを所定以上の力で引っ張ることにより、アシストグリップ１から規制ピン１２４を抜き取ることができる。【００８９】
このようにして規制ピン１２４を抜き取ると、前記コイルスプリング３３の付勢により、開口部１２からハンマー２１の基端側が部分的に飛び出し、該基端側を持ってハンマー２１を抜き取ることができる。【００９０】
また、このように本実施例では、請求項６に対応して、把持部４に操作部たる規制操作部１２１が設けられているから、把持部４の規制操作部１２１を操作して脱出用ハンマー２１を取出すことができる。【００９１】
また、実施例上の効果として、規制操作部１２１はハンマー２１に挿入等して該ハンマー２１を仮固定する規制ピン１２４と、脱出用ハンマー２１を開口部１２側へ付勢する付勢手段たるコイルスプリング３３とを備えるから、構造簡易にして、規制ピン１２４を抜く操作により、ハンマー２１が部分的に収納部１１から出てくるため、操作も容易となる。
【実施例６】
【００９２】
図１７は、本発明の実施例６を示し、上記各実施例と同一部分に同一符号を付し、その詳細な説明を省略して詳述する。この例では、規制部の変形例を示し、実施例４のアシストグリップ１において、規制部たる前記弾性圧接部１１５を設けずに、前記規制操作部１２１を設けている。【００９３】
そして、把持部４の一部を構成する前記把持筒部１１０Ａの内縁に前記透孔１２２を穿設している。【００９４】
また、この例では、コイルスプリング３３を用いないから、規制ピン１２４を抜いても、操作しないかぎりハンマー２１が部分的に収納部１１から出ることがなく、規制ピン１２４を抜いた後、状況に応じて、両側の開口部１２，１２のいずれかから、ハンマー２１を押し出したり、引き出したりすることができる。【００９５】
さらに、規制ピン１２４は、把持中央部１１０より径大で外側の把持筒部１１０Ａに設けられているから、把持中央部１１０が握り易い。また、規制ピン１２４は、前記把持筒部１１０Ａの内縁４Ｕに設けられているから、邪魔にならない。
【実施例７】
【００９６】
図１８〜図２０は、本発明の実施例７を示し、上記各実施例と同一部分に同一符号を付し、その詳細な説明を省略して詳述する。この例では、ハンマー２１の変形例を示し、この例のハンマー２１は、前記ハンマー把持部２２の先端にキャップとなる前記先端部材１１１が着脱可能に設けられている。【００９７】
前記ハンマー把持部２２の基端側に設けられた曲面部２４及び前記先端部材１１１の先端側に設けられた曲面部２４には、それぞれ操作部たる操作凹部１３１が設けられている。この操作凹部１３１は、前記曲面部２４の上側に挿入用開口部１３２を設け、この挿入用開口部１３２の下縁には、上面部１３３と縦面部１３４を有する指掛け部１３５が設けられ、この指掛け部１３５の奥には指Ｙを挿入する空間が設けられ、前記指掛け部１３５は操作用掛け部である。尚、前記挿入用開口部１３２は、一例として上下寸法が１５ｍｍ、幅寸法が１３ｍｍ程度である。そして、この例では、前記指掛け部１３５が操作部である。【００９８】
図１８及び図１９に示すように、前記操作凹部１３１のハンマー２１の先端側には底面部１３６が設けられ、前記ハンマー把持部２２の前記底面部１３６には、ハンマー２１の先端側に円形の管状部１３７が一体に設けられている。また、実施例１に比べて前記案内溝３１はハンマー把持部２２の中心軸に対する角度が大きく、案内溝３１と中心軸のなす角度は４５度程度である。また、前記刃体３２の刃部３２Ａは、前記案内溝３１の下側底部３１Ｔの近傍で、該案内溝３１の下側底部３１Ｔと平行に設けられている。尚、前記下側底部３１Ｔは、ハンマー２１の中心軸に対して前記案内溝３１と逆方向に傾斜している。【００９９】
前記管状部１３７の左右には、コ字形の切欠き溝１３８が貫通形成され、この切欠き溝１３８は、先端側に縦溝１３８Ｔを設け、この縦溝１３８Ｔの上，下端で基端に横溝１３８Ｙ，１３８Ｙを設けており、その切欠き溝１３８内に、先端側が自由端の弾性片１３９を設けてなる。また、前記弾性片１３９の外面に突起１４０を設け、この突起１４０が前記収納部１１の内周に圧接し、それら弾性片１３９と突起１４０により規制部１４１を構成している。尚、弾性片１３９は、その先端側、上下側の三方の周囲に前記切欠き溝１３８を設け、基端側のみが管状部１３７に連結されていることにより、弾性変形可能に構成されている。【０１００】
前記先端部材１１１の前記操作凹部１３１のハンマー２１の基端側には、前記底面部１３６が設けられ、前記先端部材１１１の底面部１３６には、ハンマー２１の基端側に、前記管状部１３７より短い管状部１３７Ａが一体に設けられている。この管状部１３７Ａの左右に前記規制部１４１，１４１を設け、この規制部１４１は前記弾性片１３９の先端がハンマー２１の中央側に位置する。【０１０１】
図２０に示すように、前記ハンマー把持部２２は、左右方向に二分割した分割体１４２，１４２を組み合わせ形成することができ、図１８に示すように、組み合わせた分割体１４２，１４２の先端に前記ポンチ２３が設けられる。また、前記ハンマー把持部２２の先端にキャップとなる前記先端部材１１１が着脱可能に設けられている。【０１０２】
前記収納部１１にハンマー２１を収納した状態では、前記突起１４０が収納部１１の内周に圧接し、ハンマー２１が動かないように規制される。この状態で指掛け部１３５に指Ｙ等を掛け、外側に引っ張ることにより、開口部１２からハンマー２１を抜き取ることができる。この場合、両側の開口部１２，１２の両方からハンマー２１を抜き取ることができるから便利である。また、一方の曲面部２４を押して他方の開口部１２からハンマー２１を抜き出すこともできる。【０１０３】
このように本実施例では、上記各実施例と同様な作用・効果を奏する。【０１０４】
また、このように本実施例では、請求項７に対応して、脱出用ハンマー２１に操作部たる指掛け部１３５が設けられているから、脱出用ハンマー２１の指掛け部１３５を操作して脱出用ハンマー２１を取出すことができる。【０１０５】
また、実施例上の効果として、指掛け部１３５は、縦面部１３４を有するから、縦面部１３４に指を掛けることにより、ハンマー２１を容易に引き出すことができる
［参考例１］【０１０６】
図２１〜図２２は、本発明の参考例１を示し、上記各実施例と同一部分に同一符号を付し、その詳細な説明を省略して詳述する。この例のアシストグリップ１は、把持部４の背面側中央に収納凹部７１を設け、この収納凹部７１にポンチ体７２を着脱可能に収納している。前記ポンチ体７２は、前記ポンチ２３と取付体７３とを一体に備える。また、一方の前記湾曲部５の先端縁に、前記取付体７３を着脱可能に取り付ける取付受け部７４を設けている。尚、収納状態で、取付体７３が収納凹部７１に仮固定される。【０１０７】
尚、取付受け部７４に対する取付体７３の着脱構造は、螺子機構やバヨネット結合などの回転式のもの、圧入固定式のもの、磁石・吸盤などの吸着式によるものなどでもよい。また、収納凹部７１の開口部には、開閉式や着脱式の蓋体（図示せず）を設けてもよい。【０１０８】
また、湾曲部５，５の曲面部５Ｍの先端側には、着脱操作部たる押しボタン７５を設け、この押しボタン７５を押した状態で、アシストグリップ１を引っ張ると、該アシストグリップ１から取付部３，３が外れるように構成している。【０１０９】
従って、アシストグリップ１を取り外し、湾曲部５の先端縁にポンチ体７２を固定し、アシストグリップ１の把持部４を持って窓ガラス７を破壊することができる。【０１１０】
また、参考例上の効果として、アシストグリップ１の本体２に、収納部たる収納凹部７１を設け、この収納凹部７１にポンチ２３を着脱自在に収納し、使用時にはポンチ２３を本体２に取り付けて使用可能に構成したから、アシストグリップ１を脱出用ハンマーとして使用することができる。また、乗り物たる自動車の室内に取り付けられ、棒状に延びる把持部４と、把持部４の少なくとも一端に連続する屈曲部たる湾曲部５と、湾曲部５に連続し、自動車の内装部材６に取り付ける取付部３とを備えたアシストグリップ１であって、把持部４には、ポンチ２３を収納する収納部たる収納凹部７１を設け、アシストグリップ１の外側にポンチ２３を取り付ける取付受け部７４を設けたから、ポンチ２３をアシストグリップ１内にコンパクトに収容し、脱出時にはアシストグリップ１に取り付けて脱出用ハンマーとして使用することができる
［参考例２］【０１１１】
図２３は、本発明の参考例を示し、上記各実施例及び参考例と同一部分に同一符号を付し、その詳細な説明を省略して詳述する。この例のアシストグリップ１は、湾曲部５の先端部５Ｓを着脱可能に分離し、その先端部５Ｓ内には収納空間８１が設けられ、また、先端部５Ｓに取付部３が設けられている。【０１１２】
一方の湾曲部５には、前記先端部５Ｓの分離箇所に切断手段取付部８２が設けられ、この切断手段取付部８２には縦方向の開口溝８３が設けられ、この開口溝８３内に前記刃体３２を取り付け、その刃部３２Ａは開口溝８３の長さ方向に対して斜めに形成されている。【０１１３】
他方の湾曲部５には、前記先端部５Ｓの分離箇所に前記ポンチ体７２が設けられている。尚、前記切断手段取付部８２及びポンチ体７２は、前記収納空間８１，８１内に収納される。【０１１４】
また、先端部５Ｓには、着脱操作部たる押しボタン８４を設け、この押しボタン８４を押した状態で、把持部４を引っ張ると、該アシストグリップ１から先端部５Ｓ，５Ｓが外れるように構成している。尚、使用後は、先端部５Ｓ，５Ｓを再び取り付けることができる。【０１１５】
従って、先端部５Ｓ，５Ｓを残してアシストグリップ１を取り外し、アシストグリップ１の把持部４を持って窓ガラス７を破壊したり、シートベルトを切断したりすることができる。【０１１６】
また、参考例上の効果として、アシストグリップ１の本体２に、収納部たる収納空間８１を設け、この収納空間８１にポンチ２３を収納し、使用時には、先端部５Ｓを外すことにより、アシストグリップ１を脱出用ハンマーとして使用することができる。また、先端部５Ｓがポンチ２３と刃体３２のカバーとなって、ポンチ２３と刃体３２を湾曲部５に内蔵することができる。【０１１７】
尚、本発明は、本実施例に限定されるものではなく、本発明の要旨の範囲内で種々の変形実施が可能である。例えば、規制部は上記実施例に限定されず各種タイプのものを用いることができる。また、操作部を把持部に設けたり、開口部の反対側の湾曲部に設けたりすることができる。さらに、付勢手段は、コイルスプリング以外でも各種のバネなどを用いることができる。また、プッシュラッチは実施例のものに限らず、押すとロックされてロックの状態が保持され、前記ロック後に押すとロックが解除されるものであれば、各種のものを用いることができる。また、プッシュラッチに、押圧部を前方に付勢する付勢手段が設けられている場合、プッシュラッチの付勢手段により、脱出用ハンマーを開口部側へ付勢する付勢手段を構成してもよく、この場合は、実施例１で示した付勢手段たるコイルスプリングを省略することもできる。また、例えば実施例４と実施例７の規制部及び操作部を交換するなど各実施例の規制部及び操作部を他の実施例に適用することができる。さらに、アシストグリップの材質は合成樹脂以外でも各種の材質のものを用いることができる。
【符号の説明】
【０１１８】
１  アシストグリップ
３  取付部
４  把持部
５  湾曲部（屈曲部）
６  内装部材
１１  収納部
１２  開口部
２１  脱出用ハンマー
２３  ポンチ
２４  曲面部（斜面部・操作部）
２４Ｓ  操作部
３３  コイルスプリング（付勢手段）
４１  規制部
４２  縦溝部
４６  押しボタン（操作部）
６２  規制操作部（規制部・操作部）
９１  プッシュラッチ（規制部）
１１５  弾性圧接部（規制部）
１２１  規制操作部（規制部・操作部）
１３５  指掛け部（操作用凹部・操作部）
１４１  規制部
【図１】
2017159354.tif 000003
【図２】
2017159354.tif 000004
【図３】
2017159354.tif 000005
【図４】
2017159354.tif 000006
【図５】
2017159354.tif 000007
【図６】
2017159354.tif 000008
【図７】
2017159354.tif 000009
【図８】
2017159354.tif 000010
【図９】
2017159354.tif 000011
【図１０】
2017159354.tif 000012
【図１１】
2017159354.tif 000013
【図１２】
2017159354.tif 000014
【図１３】
2017159354.tif 000015
【図１４】
2017159354.tif 000016
【図１５】
2017159354.tif 000017
【図１６】
2017159354.tif 000018
【図１７】
2017159354.tif 000019
【図１８】
2017159354.tif 000020
【図１９】
2017159354.tif 000021
【図２０】
2017159354.tif 000022
【図２１】
2017159354.tif 000023
【図２２】
2017159354.tif 000024
【図２３】
2017159354.tif 000025
【国際調査報告】
2017159354.tif 000026
2017159354.tif 000027
2017159354.tif 000028
2017159354.tif 000029